【手続補正書】
【提出日】平成17年6月29日(2005.6.29)
【手続補正１】
【補正対象書類名】明細書
【補正対象項目名】特許請求の範囲
【補正方法】変更
【補正の内容】
【特許請求の範囲】
【請求項１】  基本帯域プロセッサであって、
それぞれの基本帯域ストリームが複数の通信周波数帯域の１つに対応する、複数の基本帯域サンプルストリームを受信する手段と、
複数の復調手段とを備え、それぞれの復調手段は、検出符号を生成するために、前記受信基本帯域サンプルストリームの１つを使用して受信信号を復調し、前記複数の復調手段の少なくとも１つは、更に、受信信号を復調するために、該復調手段とは別の少なくとも１つの復調手段によって生成された検出符号を使用する
ことを特徴とする基本帯域プロセッサ。
【請求項２】  第１復調手段は、第１送信信号及び第１周波数帯域に対応する第１検出符号を生成し、第２復調手段は、第２送信信号及び第２周波数帯域に対応する第２検出符号を生成し、更に、
前記第１検出符号に基づいて、前記第２周波数帯域で受信される前記第１送信信号に対応する第１再構成信号を算出する手段と、
前記第２検出符号に基づいて、前記第１周波数帯域で受信される前記第２送信信号に対応する第２再構成信号を算出する手段と、
第１キャンセル信号を提供するために第１受信基本帯域サンプルから前記第２再構成信号をキャンセルする手段と、
第２キャンセル信号を提供するために第２受信基本帯域サンプルから前記第１再構成信号をキャンセルする手段とを備え、
前記第１復調手段は、前記第１キャンセル信号に基づいて付加第１検出符号を生成し、
前記第２復調手段は、前記第２キャンセル信号に基づいて付加第２検出符号を生成する
ことを特徴とする請求項１に記載の基本帯域プロセッサ。
【請求項３】  通信周波数帯域に対応する基本帯域サンプルストリームを受信する手段と、
前記通信周波数帯域に対する複数のチャネル応答を一括して評価する手段とを更に備え、前記複数のチャネル応答のそれぞれは、複数の送信信号の１つに対応する
ことを特徴とする請求項２に記載の基本帯域プロセッサ。
【請求項４】  通信周波数帯域に対応する基本帯域サンプルストリームを受信する手段と、
前記通信周波数帯域に対する複数のチャネル応答を連続して評価する手段とを更に備え、前記複数のチャネル応答のそれぞれは、複数の送信信号の１つに対応する
ことを特徴とする請求項２に記載の基本帯域プロセッサ。
【請求項５】  最強信号及び最弱信号を判定する手段と、
前記最強信号に対応する第１受信基本帯域サンプルストリームに基づいて、前記第１復調手段は、該最強信号に対する第１検出符号を生成し、
前記第１検出符号に基づいて、前記最弱信号に対応する周波数帯域で受信される前記最強信号に対応する再構成信号を算出する手段と、
キャンセル信号を提供するために、前記最弱信号に対応する受信基本帯域サンプルストリームから前記再構成信号をキャンセルする手段とを更に備え、
前記キャンセル信号に基づいて、前記第２復調手段は、前記最弱信号に対する第２検出符号を生成する
ことを特徴とする請求項１に記載の基本帯域プロセッサ。
【請求項６】  通信周波数帯域に対応する基本帯域サンプルストリームを受信する手段と、
前記通信周波数帯域に対する複数のチャネル応答を一括して評価する手段とを更に備え、前記複数のチャネル応答のそれぞれは、複数の送信信号の１つに対応する
ことを特徴とする請求項５に記載の基本帯域プロセッサ。
【請求項７】  通信周波数帯域に対応する基本帯域サンプルストリームを受信する手段と、
前記通信周波数帯域に対する複数のチャネル応答を連続して評価する手段とを更に備え、前記複数のチャネル応答のそれぞれは、複数の送信信号の１つに対応する
ことを特徴とする請求項５に記載の基本帯域プロセッサ。
【請求項８】  チャネル評価器であって、
通信周波数帯域に対応する基本帯域サンプルストリームを受信する手段と、
複数の隣接チャネル信号に対応する前記通信周波数帯域に対する複数のチャネル応答を評価する手段とを備え、前記複数のチャネル応答は連続して評価される
ことを特徴とするチャネル評価器。
【請求項９】  前記複数のチャネル応答を評価する手段は、
前記受信基本帯域サンプルストリームに基づいて、前記通信周波数帯域で受信される第１送信信号に対応する第１チャネル応答の評価値を算出する手段と、
前記第１チャネル応答の評価値に基づいて、前記通信周波数帯域で受信される前記第１送信信号に対応する再構成信号を算出する手段と、
キャンセル信号を提供するために前記受信基本帯域サンプルストリームから前記再構成信号を除去する手段と、
前記キャンセル信号に基づいて、前記通信周波数帯域で受信される第２送信信号に対応する第２チャネル応答の評価値を算出する手段と
を備えることを特徴とする請求項８に記載のチャネル評価器。
【請求項１０】  基本帯域処理方法であって、
それぞれの基本帯域ストリームが複数の通信周波数帯域の１つに対応する、複数の基本帯域サンプルストリームを受信するステップと、
第１検出符号を生成するために、前記受信基本帯域サンプルストリームの１つを使用して第１信号を復調するステップと、
第２検出符号を生成するために、第２受信基本帯域サンプルストリーム及び前記第１検出符号を使用して第２信号を復調するステップと
を備えることを特徴とする基本帯域処理方法。
【請求項１１】  通信周波数帯域に対応する基本帯域サンプルストリームを受信するステップと、
前記通信周波数帯域に対する複数のチャネル応答を一括して評価するステップとを備え、前記複数のチャネル応答のそれぞれは、複数の送信信号の１つに対応する
ことを特徴とする請求項１０に記載の基本帯域処理方法。
【請求項１２】  通信周波数帯域に対応する基本帯域サンプルストリームを受信するステップと、
前記通信周波数帯域に対する複数のチャネル応答を連続して評価するステップとを備え、前記複数のチャネル応答のそれぞれは、複数の送信信号の１つに対応する
ことを特徴とする請求項１０に記載の基本帯域処理方法。
【請求項１３】  基本帯域処理方法であって、
第１送信信号及び第１周波数帯域に対応する第１検出符号を生成するステップと、
第２送信信号及び第２周波数帯域に対応する第２検出符号を生成するステップと、
前記第１検出符号に基づいて、前記第２周波数帯域で受信される前記第１送信信号に対応する第１再構成信号を算出するステップと、
前記第２検出符号に基づいて、前記第１周波数帯域で受信される前記第２送信信号に対応する第２再構成信号を算出するステップと、
第１キャンセル信号を提供するために、第１受信基本帯域サンプルから前記第２再構成信号をキャンセルするステップと、
第２キャンセル信号を提供するために、第２受信基本帯域サンプルから前記第１再構成信号をキャンセルするステップと、
前記第１キャンセル信号及び前記第２キャンセル信号それぞれに基づいて、付加第１及び第２検出符号を生成するステップと
を備えることを特徴とする基本帯域処理方法。
【請求項１４】  基本帯域処理方法であって、
最強信号及び最弱信号を判定するステップと、
前記最強信号に対応する第１受信基本帯域サンプルストリームに基づいて、該最強信号に対する第１検出符号を生成するステップと、
前記第１検出符号に基づいて、前記最弱信号に対応する周波数帯域で受信される前記最強信号に対応する再構成信号を算出するステップと、
キャンセル信号を提供するために、前記最弱信号に対応する受信基本帯域サンプルストリームから前記再構成信号をキャンセルするステップと、
前記キャンセル信号に基づいて、前記最弱信号に対する第２検出符号を生成するステップと
を備えることを特徴とする基本帯域処理方法。
【請求項１５】  チャネル評価方法であって、
通信周波数帯域に対応する基本帯域サンプルストリームを受信するステップと、
複数の隣接チャネル信号に対応する前記通信周波数帯域に対する複数のチャネル応答を評価するステップとを備え、前記複数のチャネル応答は、連続して評価される
ことを特徴とするチャネル評価方法。
【請求項１６】  前記複数のチャネル応答を評価するステップは、
前記受信基本帯域サンプルストリームに基づいて、前記通信周波数帯域で受信される第１送信信号に対応する第１チャネル応答の評価値を算出するステップと、
前記第１チャネル応答の評価値に基づいて、前記通信周波数帯域で受信される前記第１送信信号に対応する再構成信号を算出するステップと、
キャンセル信号を提供するために、前記受信基本帯域サンプルストリームから前記再構成信号を除去するステップと、
前記キャンセル信号に基づいて、前記通信周波数帯域で受信される第２送信信号に対応する第２チャネル応答の評価値を算出するステップと
を備えることを特徴とする請求項１５に記載のチャネル評価方法。